(57)【要約】【課題】ツイストペア伝送信号に対し対間クロストークの低減、放射妨害波の低減、妨害波耐性の強化を図るＩＥＥＥ１３９４ｂに準拠したインターフェースケーブルを提供すること。【解決手段】信号線として用いられる各々が内部シールド層で覆われた２組のツイストペア電線と、電源線として用いられる２本の絶縁被覆電線とが外部シールド層により覆われてなるインターフェースケーブルにおいて、更に信号線として用いられる２本の絶縁被覆電線が前記外部シールド層により覆われている。【選択図】図１
2005285738.tif 000002
【特許請求の範囲】
【請求項１】
信号線として用いられる各々が内部シールド層で覆われた２組のツイストペア電線と、電源線として用いられる２本の絶縁被覆電線とが外部シールド層により覆われてなるインターフェースケーブルにおいて、更に信号線として用いられる２本の絶縁被覆電線が前記外部シールド層により覆われていることを特徴とするインターフェースケーブル。
【請求項２】
前記信号線として用いられる２本の絶縁被覆電線が１組のツイストペア電線であることを特徴とする請求項１に記載のインターフェースケーブル。
【請求項３】
前記信号線として用いられる２本の絶縁被覆電線が内部シールド層で覆われていることを特徴とする請求項１又は２に記載のインターフェースケーブル。
【請求項４】
前記信号線として用いられる２本の絶縁被覆電線と電源線として用いられる２本の絶縁被覆電線とが更に内部シールド層に覆われていることを特徴する請求項１から３のいずれかに記載のインターフェースケーブル。
【発明の詳細な説明】
【技術分野】
【０００１】
本発明は、インターフェースケーブルに関し、特にＩＥＥＥ１３９４ｂ規格に好適されるインターフェースケーブルに関する。
【背景技術】
【０００２】
ＩＥＥＥ規格とは、画像や音楽などのデジタルデータを高速伝送するためのシリアル通信の規格で、米国電気電子技術者協会（ＩＥＥＥ）によって作られており、一般に普及しているのは６ピンコネクタのＩＥＥＥ１３９４−１９９５であるが、近年、新たに伝送距離を伸ばすことと更なる高速伝送を目的とした９ピンコネクタのＩＥＥＥ１３９４ｂ規格が登場してきている。この１３９４ｂ規格は１３９４−１９９５規格とは通信方式から異なっており、用いるケーブル、コネクタの構造も異なって規格化されている。
【０００３】
図６（ａ）に示す６ピンコネクタの１３９４−１９９５規格で推奨されるインターフェースケーブル１４では、内部シールド層１５で覆われたツイストペア電線１６が２組の４極（ＴＰＡ，ＴＰＡ＊，ＴＰＢ，ＴＰＢ＊）と、絶縁被覆電線１７が２本の電源２極（ＶＧ，ＶＰ）の合計６極が外部シールド層１８で覆われた構成となっている。
【０００４】
これに対し、図６（ｂ）に示す９ピンコネクタの１３９４ｂ規格で推奨されるインターフェースケーブル１９では、更にツイストペア電線２０の各組をシールドする内部シールド層２１（つまり内部シールド層２１に導通している裸電線のドレインワイヤ２２）が２極（ＴＰＡ（Ｒ），ＴＰＢ（Ｒ））として信号伝送用に新規に設けられ、合計８極（１極はＮＣ：予備）となっている。図７はこのインターフェースケーブル１９と両端に接続される９ピンコネクタ１００，２００の電気接続図である。
【０００５】
従って、コネクタへの接続構造について１３９４−１９９５規格用インターフェースケーブル１４では、内部シールド層１５はケーブル内部で互いに接触させＶＧ（電源グランド）へ、外部シールド層１８は６ピンコネクタのシールドシェルにそれぞれ接続させてシールド効果の向上を図っているが、それに対し１３９４ｂ規格用インターフェースケーブル１９では、外部シールド層１８が９ピンコネクタ１００，２００のシールドシェルに接続されるのみで、ツイストペア電線２０の各組をシールドする内部シールド層２１（つまり裸電線のドレインワイヤ２２）の２極（ＴＰＡ（Ｒ），ＴＰＢ（Ｒ））は互いに接続してはならず、信号伝送用に用いられる。
【０００６】
【特許文献１】特開２００２−２１６５５０号
【特許文献２】特開平１１−１３４９４７号
【発明の開示】
【発明が解決しようとする課題】
【０００７】
１３９４−１９９５規格で推奨されるインターフェースケーブルの構造については、上記特許文献１や特許文献２に開示の技術で電源２極に用いられる２本の絶縁被覆電線への工夫などがなされているが、登場したばかりの１３９４ｂ規格で推奨されるインターフェースケーブル構造については、ノイズシールド問題に対する工夫がまだなされてないことから、２組のツイストペア電線に伝送する信号に対し、１）対間クロストークの劣化、２）放射妨害波の増加、３）妨害波耐性の劣化が発生する可能性がある。
【０００８】
そこで本発明が解決する課題は、ＩＥＥＥ１３９４ｂに準拠したインターフェースケーブルにおいて、ツイストペア伝送信号に対し対間クロストークの低減、放射妨害波の低減、妨害波耐性の強化を実現することである。
【課題を解決するための手段】
【０００９】
上記課題を解決するため本発明に係るインターフェースケーブルは、信号線として用いられる各々が内部シールド層で覆われた２組のツイストペア電線と、電源線として用いられる２本の絶縁被覆電線とが外部シールド層により覆われてなるインターフェースケーブルにおいて、更に信号線として用いられる２本の絶縁被覆電線が前記外部シールド層により覆われていることを要旨とするものである。
【００１０】
この場合、前記信号線として用いられる２本の絶縁被覆電線が１組のツイストペア電線である構成にすると良い。また、前記信号線として用いられる２本の絶縁被覆電線が内部シールド層で覆われている構成にすると良い。更に、前記信号線として用いられる２本の絶縁被覆電線と電源線として用いられる２本の絶縁被覆電線とが更に内部シールド層に覆われている構成にすると良い。
【発明の効果】
【００１１】
上記構成を有するインターフェースケーブルを、ＩＥＥＥ１３９４ｂ規格に準拠したインターフェースケーブルとして用いた場合には、従来技術のように２組のツイストペア電線の内部シールド層を、ＴＰＡ（Ｒ），ＴＰＢ（Ｒ）としては使わず、本来のシールド機能としての用途に限定し、その代わりに新たに追加された２本の絶縁被覆電線をＴＰＡ（Ｒ），ＴＰＢ（Ｒ）として使うことが可能になり、図６（ｂ）に示したインターフェースケーブル１９よりも対間クロストークの低減、放射妨害波の低減、妨害波耐性の強化を図ることができる。
【００１２】
この場合、前記信号線として用いられる２本の絶縁被覆電線が１組のツイストペア電線である構成や、前記信号線として用いられる２本の絶縁被覆電線が内部シールド層で覆われている構成にすれば、対間クロストークの低減、放射妨害波の低減、妨害波耐性をより向上させることができる。更に、前記信号線として用いられる２本の絶縁被覆電線と電源線として用いられる２本の絶縁被覆電線とが更に内部シールド層に覆われている構成にすれば、電源線の電源電流によるケーブル内部の他の信号線への妨害波等の影響を低減することができる。
【発明を実施するための最良の形態】
【００１３】
以下に、本発明に係るインターフェースケーブルの実施の形態について図面を参照して説明する。図１は本発明の第１の実施の形態に係るインターフェースケーブルの断面構造を示した図であり、図２はこのインターフェースケーブルと両端に接続される９ピンコネクタとの電気接続図である。
【００１４】
図示されるように、インターフェースケーブル１の外部シールド層２に内包される電線は、信号線として用いられる２組のシールド付きツイストペア電線３，４、電線線として用いられる２本の絶縁被覆電線５，６、および信号線として用いられる１組のシールド無しのツイストペア電線７である。
【００１５】
先ず、信号線として用いられるシールド付きツイストペア電線３，４は、２本の絶縁被覆電線８と２本の裸電線９（ドレインワイヤ）とが内部シールド層１０で覆われ、更に外側を内部シース１１で覆われている。この場合、裸電線９は内部シールド層１０の内面に接触しており導通している。
【００１６】
このツイストペア電線３，４に内包される絶縁被覆電線８は、図２に示すように９ピンコネクタ１００，２００への接続に際しては、ＴＰＡ，ＴＰＡ＊，ＴＰＢ，ＴＰＢ＊信号として用いられ、コネクタ１００の端子Ｎｏ．４，３，２，１およびコネクタ２００の端子Ｎｏ．２，１，４，３へ接続される。同じくツイストペア電線３，４の内部シールド層１０に導通している裸電線９（ドレインワイヤ）は、９ピンコネクタ１００，２００への接続に際しては、ケーブル両端でそれぞれ結線されてコネクタ１００，２００のそれぞれ端子Ｎｏ．６（電源グランド：ＶＧ）へ接続され電磁シールドとして機能のみを有し、従来技術で説明したようなＴＰＡ（Ｒ），ＴＰＢ（Ｒ）信号として使わず、本来のシールド機能として用いられる。
【００１７】
次に、電源線として用いられる２本の絶縁被覆電線５，６は、９ピンコネクタ１００，２００への接続に際しては、コネクタ１００，２００のそれぞれ端子Ｎｏ．８（ＶＰ），６（ＶＧ）に接続される。
【００１８】
そして、本発明の特徴部分である信号線として用いられる１組のシールド無しのツイストペア電線７は、従来技術で説明したようなＴＰＡ（Ｒ），ＴＰＢ（Ｒ）信号として用いられるもので、２本の絶縁被覆電線１２がツイストされて、内部シース１３に覆われた構造を有しており、９ピンコネクタ１００，２００への接続に際しては、コネクタ１００の端子Ｎｏ．５，９およびコネクタ２００の端子Ｎｏ．９，５へそれぞれ接続される。
【００１９】
最後に、インターフェースケーブル１の外部シールド層２は、９ピンコネクタ１００，２００のシールドシェルにそれぞれ接続される。尚、コネクタ１００，２００の端子Ｎｏ．７は用いられない。
【００２０】
このような新たにツイストペア電線７が追加されたインターフェースケーブル１を、ＩＥＥＥ１３９４ｂ規格に準拠したインターフェースケーブルとして用いれば、ＴＰＡ，ＴＰＡ＊，ＴＰＢ，ＴＰＢ＊信号用に用いられる２組のシールド付きツイストペア電線３，４の内部シールド層１０を、本来のシールド機能としての用途に限定することができ、懸念される対間クロストークの低減、放射妨害波の低減、妨害波耐性の強化を図ることができる。尚、図示しないがツイストペア電線７をシールド付きツイストペア電線に変更することも可能で、更なる放射妨害波の低減、妨害波耐性の強化を図ることができる。
【００２１】
その他、本発明に係るインターフェースケーブル１を適用した例としては、図３の電気接続図に示すような特に自動車専用のコネクタピンの配置が異なるものに適用させることも可能で、図２に示したコネクタとの接続の形態には限定されない。
【００２２】
次に本発明の第２の実施の形態に係るインターフェースケーブルについて説明する。図４は第２の実施の形態に係るインターフェースケーブル３０の断面構造を示した図であり、図５はこのインターフェースケーブル３０と両端に接続される９ピンコネクタ１００，２００との電気接続図である。尚、このインターフェースケーブル３０は、上述した第１実施形態のインターフェースケーブル１とは、内部シールド層３１が更に追加されている点で異なるだけなので、第１の実施の形態と同一の構成については同符号を付して説明は省略する。
【００２３】
図示されるように、このインターフェースケーブル３０には、ＶＰ，ＶＧ用の電源線５，６とＴＰＡ（Ｒ），ＴＰＢ（Ｒ）用のツイストペア電線７を覆う内部シールド層３１および内部シース３２が追加されている。これは電源線５，６の電源電流によるケーブル内部の他の信号線への放射妨害波の低減、あるいは他の信号線からの妨害波耐性を強化するためのものである。
【００２４】
このインターフェースケーブル３０の９ピンコネクタ１００，２００への接続については、上述した図２の電気接続図の構成とほぼ同じである。この場合、追加された内部シールド層３１は図５に示されるように、ツイストペア電線３，４の内部シールド層１０に導通している裸電線９（ドレインワイヤ）にケーブル両端でそれぞれ結線されてコネクタ１００，２００のＮｏ．６（電源グランド：ＶＧ）へ接続され、電磁シールドとして機能のみを有するようになっている。
【００２５】
以上、本発明に係るインターフェースケーブルの実施の形態について説明したが、本発明はこうした実施の形態に何ら限定されるものではなく、本発明の要旨を逸脱しない範囲において、種々なる態様で実施できることは勿論である。例えば、各信号線用の電線は、高速伝送用スキュー対策やコストダウン等のためにツイストされていない構造としても良い。また、各内部シースが無い構造でも良い。
【図面の簡単な説明】
【００２６】
【図１】本発明の第１の実施の形態に係るインターフェースケーブルの概略構成を示した断面図である。
【図２】図１のインターフェースケーブルのＩＥＥＥ１３９４ｂ規格用コネクタへの接続例を示した図である。
【図３】図１のインターフェースケーブルのＩＥＥＥ１３９４ｂ規格用コネクタへの自動車専用の接続例を示した図である。
【図４】本発明の第２の実施の形態に係るインターフェースケーブルの概略構成を示した断面図である。
【図５】図４のインターフェースケーブルのＩＥＥＥ１３９４ｂ規格用コネクタへの接続例を示した図である。
【図６】従来用いられているインターフェースケーブルの概略構成を示した断面図である。
【図７】図６（ｂ）のＩＥＥＥ１３９４ｂ規格用のインターフェースケーブルとコネクタとの接続例を示した図である。
【符号の説明】
【００２７】
１  インターフェースケーブル
２  外部シールド層
３，４  ツイストペア電線
５，６  絶縁被覆電線
７  ツイストペア電線
８  絶縁被覆電線
９  裸電線
１０  内部シールド層
１１  内部シース
１２  絶縁被覆電線
１３  内部シース
３０  インターフェースケーブル
３１  内部シールド層
３２  内部シース
１００，２００  ９ピンコネクタ
【図１】
2005285738.tif 000003
【図２】
2005285738.tif 000004
【図３】
2005285738.tif 000005
【図４】
2005285738.tif 000006
【図５】
2005285738.tif 000007
【図６】
2005285738.tif 000008
【図７】
2005285738.tif 000009